(57)【要約】【課題】既存建物の屋上を利用して超小型モビリティなどの小型車両の駐車スペースを作り出すことができるようにする。【解決手段】既存建物２の屋上の少なくとも一部を覆う床板３を、既存建物２の周囲に立設した複数の支持柱４で支持すると共に、地面と床板３との間に超小型モビリティ５０（小型車両）を昇降させる昇降装置５を設ける。【選択図】図１
2015090005.tif 000002
【特許請求の範囲】
【請求項１】
既存建物の屋上を利用して複数の小型車両を駐車する小型車両駐車設備であって、
上記既存建物の屋上の少なくとも一部を覆う床板と、
上記既存建物の周囲に立設され、上記床板を支持する複数の支持柱と、
地面と上記床板との間で上記小型車両を昇降させる昇降装置とを備えている
ことを特徴とする小型車両駐車設備。
【請求項２】
請求項１に記載の小型車両駐車設備において、
分解して運搬及び組立可能に構成されている
ことを特徴とする小型車両駐車設備。
【請求項３】
請求項１又は２に記載の小型車両駐車設備において、
上記小型車両は、電動の超小型モビリティであり、
上記既存建物は、商品を直接販売している１階建ての店舗である
ことを特徴とする小型車両駐車設備。
【請求項４】
請求項３に記載の小型車両駐車設備において、
上記昇降装置は、上記超小型モビリティがリフターに乗り込んだ後、自動で上記床板上の適切な移動に駐車されるように構成されている
ことを特徴とする小型車両駐車設備。
【発明の詳細な説明】
【技術分野】
【０００１】
本発明は、超小型モビリティなどの小型車両を駐車する駐車設備に関し、特に既存建物の屋上を利用するものに関する。
【背景技術】
【０００２】
近年、少子高齢化が進み、体を動かすことが億劫な人が増えることが予想される。高齢者は、家からあまり出たくない、外の用事では重い荷物を持つことなく、楽に移動したいと考えるようになる。このニーズを満たすためにコンビニエンスストアや薬局などでは、電話注文による商品の宅配サービスや来店購入品の宅配サービスを行っている。
【０００３】
普通自動車による宅配は、駐車スペースや維持費用の面で負担が大きい。このため、近年、超小型モビリティに代表される大人１〜２人乗りの電動の小型車両を用いた高齢者向けサービスが行われてきている。
【０００４】
また、コミュニティセンター、病院、スーパーマーケットその他の店舗へ気軽に小型車両を利用して移動したいというニーズの増加も予想される。
【０００５】
上記のようなニーズが増えてくると、ますます小型車両の駐車スペースが必要となってくる。例えば、コンビニエンスストアは、簡易な１階建ての建物で屋上を十分に利用できていない場合が多い。
【０００６】
そこで、特許文献１のように既存ビル屋上に駐車場を作るための壁面取付車両リフト装置が知られている。この装置は、上下移動用レールと曲線レールとを用いて自動車を屋上に移動するようにしている。
【先行技術文献】
【特許文献】
【０００７】
【特許文献１】特開２００７−１５８５２号公報
【発明の概要】
【発明が解決しようとする課題】
【０００８】
上記特許文献１のものでは、既存ビルの屋上へ質量の大きい自動車を運搬するものであるが、台車の動きが複雑で自動車を安全に屋上へ運ぶことができない。また、既存ビルの屋上に質量の大きい自動車を走行させるために屋上の大規模な増改築が必要となる。
【０００９】
本発明は、かかる点に鑑みてなされたものであり、その目的とするところは、既存建物の屋上を利用して小型車両の駐車スペースを簡単に作り出すことができるようにすることにある。
【課題を解決するための手段】
【００１０】
上記の目的を達成するために、この発明では、既存建物の屋上に小型車両を駐車可能にした。
【００１１】
具体的には、第１の発明では、既存建物の屋上を利用して複数の小型車両を駐車する小型車両駐車設備を対象とし、
上記小型車両駐車設備は、
上記既存建物の屋上の少なくとも一部を覆う床板と、
上記既存建物の周囲に立設され、上記床板を支持する複数の支持柱と、
地面と上記床板との間で上記小型車両を昇降させる昇降装置とを備えている。
【００１２】
特にコンビニエンスストアなどは、出店及び閉店の回転が速く、簡易な１階建て店舗で営業を行うことが多い。この１階建て店舗は、広い屋上スペースを有するが、有効利用されていないことが多い。上記の構成によると、この有効利用されていない屋上スペースを利用し、高齢者向けサービス等でニーズが高まっている小型車両を駐車できる。床板に小型車両を直接駐車できるので、既存建物自体の大規模な増改築は必要とされない。また、昇降装置を備えているので、占有スペースが大きくなるスロープ等の誘導路が必要ない。このため、支持柱、昇降装置などを設けるのに必要な、できるだけ狭いスペースのみで小型車両駐車設備を設けることができる。ここで、小型車両は、超小型モビリティ、電動バイク、電動自転車等の大人１〜２人乗り、多くとも大人３人乗りの車両を意味する。
【００１３】
第２の発明では、第１の発明において、
分解して運搬及び組立可能に構成されている。
【００１４】
上記の構成によると、コンビニエンスストアなどの店舗の開店及び閉店に合わせて小型車両駐車設備を分解又は組立及び運搬することができる。このため、低コストで小型車両駐車設備を設置及び撤去することができる。
【００１５】
第３の発明では、第１又は第２の発明において、
上記小型車両は、電動の超小型モビリティであり、
上記既存建物は、商品を直接販売している１階建ての店舗である。
【００１６】
上記の構成によると、電動の超小型モビリティであれば、ガソリンなど化石燃料が不要で環境に優しく、駐車スペースも狭くて済む上、質量が軽いので小規模の昇降装置で昇降させることができる。また、１階建てなので昇降装置の全高は２階建て以上の建物に適用する場合と比較してコンパクトにできる。そして、屋上の床板上に複数の超小型モビリティを駐車させることにより、特に平屋で簡易な建物のコンビニエンスストアや薬局等の屋上スペースを有効利用し、車両不足を防ぎながら、高齢者向けの宅配サービスを効率よく行うことができる。また、超小型モビリティのカーシェアリングサービスのステーションとしてコンビニエンスストアや薬局を利用する場合には、来店用の駐車スペースを確保しつつ、より多くのカーシェアリング用の超小型モビリティを配置できる。
【００１７】
第４の発明では、第３の発明において、
上記昇降装置は、上記超小型モビリティが乗り込んだ後、自動で上記床板上の適切な移動に駐車されるように構成されている。
【００１８】
上記の構成によると、床板の適切な位置に自動で超小型モビリティの駐車ができるので、乗員が昇降装置に乗り入れる必要がなくなり、昇降装置を簡易なものにすることができる。
【発明の効果】
【００１９】
以上説明したように、本発明によれば、既存建物の屋上に床板を支持し、この床板に昇降装置を利用して小型車両を駐車できるようにしたことにより、既存建物の屋上を利用して小型車両の駐車スペースを作り出すことができる。
【図面の簡単な説明】
【００２０】
【図１】本発明の実施形態に係る小型車両駐車設備の概要を示す斜視図である。
【図２】超小型モビリティがリフターに乗り込んだ状態を示す図１相当図である。
【図３】超小型モビリティが乗り込んだ後、９０°回転した状態で上昇する様子を示す図１相当図である。
【図４】超小型モビリティが昇降装置から降りて床板上の適切な位置に駐車される様子を示す図１相当図である。
【発明を実施するための形態】
【００２１】
以下、本発明の実施形態を図面に基づいて説明する。
【００２２】
図１〜図４は、本発明の実施形態に係る小型車両としての超小型モビリティ５０が駐車される小型車両駐車設備の概要を示す。
【００２３】
この小型車両駐車設備は、既存建物２の屋上を利用して複数の超小型モビリティ５０を駐車する屋上駐車設備１よりなる。この既存建物２とは、コンビニエンスストア、薬局などの商品を直接販売している１階建ての店舗を意味する。超小型モビリティ５０は、例えば、充電可能な蓄電部と走行用電動機とを有し、この蓄電部は１００Ｖや２００Ｖのコンセントにより充電可能となっている。また、超小型モビリティ５０は、化石燃料を使用せず、クリーンな車両であり、普通自動車よりも小型で駐車スペースも小さくて済む上、時速５０〜８０ｋｍ程度で走行可能である。また、回生制動可能とすれば充電時間も少なくて済む。
【００２４】
この屋上駐車設備１は、既存建物２の屋上の少なくとも一部を覆う鋼板等よりなる床板３を備えている。図１にも示すように、床板３は、屋上の全体を覆っていないが、全体を覆うようにしてもよい。
【００２５】
この床板３は、既存建物２の周囲に立設された例えば４本以上の支持柱４で支持されている。このため、既存建物２自体に床板３の力が伝わらないようにすれば、既存建物２の補強工事は必要とされない。図示しないが、床板３には、超小型モビリティ５０に充電するためのプラグ、ケーブル、非接触式充電部などが設けられている。また、超小型モビリティ５０の落下防止用の柵や自動運転時の誘導のためのセンサーなどが設けられているのが望ましい。また、屋上駐車設備１は、屋根を有さないのが望ましい。そうすれば建築規制などの制限を受けにくく、かつ組立及び分解が容易である。
【００２６】
屋上駐車設備１は、地面と床板３との間で超小型モビリティ５０を昇降させる昇降装置５を備えている。詳しくは図示しないが、この昇降装置５は、既存建物２の屋根よりも高く延びる垂直部材５ａと、この垂直部材５ａに昇降可能に支持されるリフター５ｂとを備えている。リフター５ｂは、電動、油圧等によって上下に移動可能に駆動すればよく、リフター５ｂを昇降移動させるために、図示しない電動モータ、電動シリンダ、油圧ポンプ、油圧モータ又は油圧シリンダ等を備えている。
【００２７】
リフター５ｂ自体は、超小型モビリティ５０に人員が乗車可能とする場合、安全基準が厳しくなるが、本実施形態では、人員の乗車無しに自動で超小型モビリティ５０が駐車可能となっている。このため、構造を比較的簡易にできる。詳しくは図示しないが、リフター５ｂは、超小型モビリティ５０が乗り込んだ後、回転して超小型モビリティ５０の方向を変更可能なターンテーブル５ｃを有している。
【００２８】
床板３、支持柱４、昇降装置５等はボルト締結など脱着可能な固定方法で固定されている。このため、コンビニエンスストアなどの開店又は閉店に合わせて屋上駐車設備１を組立又は分解することができる。分解後の寸法を荷役車両が荷台に搭載して公道を走行可能な寸法とすれば運搬も容易で、分解後、他の既存建物２に使用することもできて便利である。
【００２９】
本実施形態では、このようにして、通常は有効利用されていない既存建物２の屋上スペースを利用し、高齢者向けサービス等でニーズが高まっている超小型モビリティ５０を駐車できるようにした。
【００３０】
上下移動するリフター５ｂを有する昇降装置５を備えているので、占有スペースが大きくなるスロープなどの大規模施設は必要ない。このため、支持柱４、昇降装置５などのできるだけ狭いスペースのみで屋上駐車設備１を設けることができる
本実施形態では、図１に示すように、まず、コンビニエンスストアなどの店舗である既存建物２の側方に超小型モビリティ５０が近づく。
【００３１】
超小型モビリティ５０は、図２に示すように、進行方向のままリフター５ｂに載った後、乗員が降りる。
【００３２】
次いで、例えば図示しない駐車ボタンを押すと、図３に示すように、自動運転により、ターンテーブル５ｃが９０°回転して超小型モビリティ５０は、通路と垂直になるまで回転される。
【００３３】
そして、このターンテーブル５ｃが回転した状態でリフター５ｂが床板３の位置まで上昇する。
【００３４】
次いで、図４に示すように、超小型モビリティ５０が、床板３上の適切な駐車場所に自動で移動して停止する。例えば、複数に並列して設けた非接触式充電部の位置まで自動で移動するようにすれば、駐車後に自動で超小型モビリティ５０を充電できる。こうすれば、充電し忘れを防ぐことができて極めて便利である。
【００３５】
このように、電動の超小型モビリティ５０であれば、ガソリンなど化石燃料が不要で環境に優しく、駐車スペースも狭くて済む上、質量が軽いので小規模の昇降装置５で昇降させることができる。そして、屋上に複数の超小型モビリティ５０を駐車させることにより、車両不足を防いで高齢者向けサービス等の宅配サービスを効率よく行うことができる。
【００３６】
また、リフター５ｂにターンテーブル５ｃを設ければ、超小型モビリティの方向を自由に変更させることもできるので、昇降装置５へ乗り入れるための誘導路を設ける十分なスペースがない場合でも、屋上駐車設備１を設置することができる。
【００３７】
また、超小型モビリティ５０を自動で床板３上に駐車できるようにすれば、乗員が昇降装置５に乗り入れる必要がなくなり、昇降装置５を簡易なものにすることができる。
【００３８】
したがって、本実施形態によれば、既存建物２の屋上に床板３を支持し、この床板３に昇降装置５を利用して超小型モビリティ５０を駐車できるようにしたことにより、既存建物２の屋上を利用して超小型モビリティ５０の駐車スペースを作り出すことができる。
【００３９】
（その他の実施形態）
上記実施形態では、小型車両は、電動の超小型モビリティ５０としたが、大人１〜２人乗り、多くとも大人３人乗りの軽量な車両であれば特に限定されない。例えば、ガソリンや水素を燃料源として走行するガソリンエンジン車や燃料電池車であってもよい。
【００４０】
また、乗員が乗ったまま超小型モビリティ５０が昇降装置５により回転及び上昇され、乗員が運転して床板３上に駐車するようにしてもよい。但し、この場合は、昇降装置は、人員を運搬する安全基準を満たす必要がある。
【００４１】
さらに、上記実施形態では、１枚の床板３を設けたが、複数枚の床板３を上下に設けて各床板３に昇降装置５によって超小型モビリティ５０を移動可能にしてもよい。
【００４２】
なお、以上の実施形態は、本質的に好ましい例示であって、本発明、その適用物や用途の範囲を制限することを意図するものではない。
【産業上の利用可能性】
【００４３】
以上説明したように、本発明は、超小型モビリティなどの小型車両を駐車する駐車設備について有用である。
【符号の説明】
【００４４】
１      屋上駐車設備（小型車両駐車設備）
２      既存建物
３      床板
４      支持柱
５      昇降装置
５ａ    垂直部材
５ｂ    リフター
５ｃ    ターンテーブル
５０    超小型モビリティ（小型車両）
【図１】
2015090005.tif 000003
【図２】
2015090005.tif 000004
【図３】
2015090005.tif 000005
【図４】
2015090005.tif 000006